【事件の表示】
　平成　４年特許願第１４４４９３号「遊技機」拒絶査定不服審判事件〔平成　５年１２月２１日出願公開、特開平　５−３３７２４３〕について、次のとおり審決する。
【結　論】
　本件審判の請求は、成り立たない。
【理　由】
１．手続の経緯
　平成　４年　６月　４日　出願
　平成１１年　６月　２日　補正(1)
　平成１４年　５月　８日　補正(1)却下
　平成１４年１０月　９日　拒絶理由通知
　平成１４年１２月１３日　補正(2)
　平成１５年　１月１５日　補正(2)却下
　平成１５年　６月１１日　拒絶査定
　平成１５年　７月１７日　査定不服審判請求
　平成１５年　８月１５日　補正(3)
　平成１７年　９月２８日　補正(3)却下
　
２．本願発明
　本願の請求項１に係る発明（以下、「本願発明」という。）は、願書に最初に添付した明細書及び図面の記載からみて、その請求項１に記載された次のとおりのものである。
「各種情報を表示可能な映像表示装置と、遊技条件に基づき各種入賞装置、各種表示装置を制御する遊技制御手段と、遊技に用いる遊技媒体の貸出操作手段と、貸出操作手段からの操作信号およびカードリーダに挿入した遊技カードの記憶データに基づき遊技媒体の排出を行う遊技媒体貸出機と、遊技制御手段からの遊技信号ならびに遊技媒体貸出機からの動作状態信号に基づく映像を映像表示装置に表示する映像制御手段とを備えたことを特徴とする遊技機。」　
　
３．刊行物及びその記載内容
　刊行物１：特開平３−１８６２８６号公報
　刊行物２：特開平１−１３６６８１号公報
　
　これに対して、原審の拒絶の理由に引用され、本願の出願前に頒布された上記刊行物１には、次のことが記載されている。
「産業上の利用分野
　本発明は、パチンコ機の情報表示装置の改良に関する。」（１頁左下欄１１〜１３行）、
「従来の技術
　移動図柄やテロップおよび入賞回数や役物連続作動回数等パチンコ遊戯に必要とされる各種の情報を表示する情報表示装置として、７セグメントＬＥＤやドットマトリクスＬＥＤまたは単体ＬＥＤ等を表示体として用いたものが公知である。これらの表示体は表示すべき情報の内容に応じて使い分けられるのが普通で、一般に、スロットマシンやルーレット状の移動図柄を表示するためには複列に配設された７セグメントＬＥＤやドットマトリクスＬＥＤが用いられ、また、入賞回数や役物連続作動回数等を表示するためには７セグメントＬＥＤによる数値表示や単体ＬＥＤの点灯個数表示が用いられている。」（１頁左下欄１４行〜右下欄７行）、
「発明が解決しようとする課題
　この種の従来技術によれば表示すべき情報内容の増大に応じて多種多様の表示体を配設する必要が生じるが、表示体を重複して配設することは不可能であるから、その配設位置は必然的に分散され、遊戯者は各種の情報を把握するために定常的な視線移動を強いられる結果となり、遊戯に必要とされるコンセントレーションの確保が困難となる欠点がある。
　本発明の目的は、これら従来技術の欠点を解消し、多様な情報を集中的に表示することのできるパチンコ機の情報表示装置を提供することにある。」（１頁右下欄８〜１９行）、
「第１図は実施例の情報表示装置を装着したパチンコ機の遊戯盤面を示す正面図であり、遊戯盤１の略中央部には本発明の情報表示装置を備えた表示ユニット２が設けられると共に、・・・表示ユニット２の下部左右に配設された入賞口５，６・・・。遊戯盤１の下部両側にはチューリップ式役物１１，１２が配設され、チューリップ式役物１１，１２間の中央下部には役物連続作動装置１３を備えた大入賞口１４が配設される。大入賞口１４の両側には左右第１種始動口１５，１６が設けられ、表示ユニット２の中央下部近傍には中第１種始動口１７が設けられている。・・・。
　表示ユニット２は役物装置の一部を構成し、上端部に大入賞口２２を備える一方、大入賞口２２の下部両側には天下左右入賞口２３，２４が配設されている。表示ユニット２上には、大入賞口１４の解放時に役物連続作動装置１３に入賞したパチンコ球の数を表示する記憶数表示ＬＥＤ２５、大入賞口１４の解放動作数を表示する連続回数表示ＬＥＤ２６、および、大入賞口１４の一解放動作中に大入賞口１４に入賞したパチンコ球の数を表示する大入賞口入賞数表示ＬＥＤ２７が配設されている・・・。
　表示ユニット２の略中央部には矩形状の開口２８が穿設され、表示ユニット２の内部に併設されて情報表示装置２９の一部を構成する第１の表示体となる７セグメントＬＥＤ３０〜３２が遊戯盤１前方から直視可能な位置に配設されている。」（２頁左上欄１６行〜左下欄１０行）、
「第２図は表示ユニット２のＡ−Ａ断面によって情報表示装置２９の要部を示す模式図であり、該情報表示装置２９は、遊戯盤１前方から直視可能な位置に配設された７セグメントＬＥＤ３０〜３２（第１の表示体）、７セグメントＬＥＤ３０〜３２の手前に配設されたハーフミラ−３３、および、直視方向ａからハーフミラ−３３を見て鏡像が投影される位置に配設され、第２の表示体となる１６行２４列のドットマトリクスＬＥＤ３４によって構成される。」（２頁左下欄１１〜２０行）、
「実施例ではドットマトリクスＬＥＤ３４がテロップ表示用の表示体として用いられ、また、７セグメントＬＥＤ３０〜３２が移動図柄表示用の表示体として用いられており、通常の遊戯状態では７セグメントＬＥＤ３０〜３２が非作動となってドットマトリクスＬＥＤ３４のみが駆動制御されてテロップ表示を実行し、ドットマトリクスＬＥＤ３４に表示された情報が第２図に示される定常位置のハーフミラ−３３に投影され、鏡像３４′として遊戯者に視認される。ハーフミラ−３３に投影された鏡像３４′の一例を第５図に示す。」（２頁右下欄８〜１８行）、
「また、第１種始動口１５〜１７への入賞が検出された場合には、ハーフミラ−３３が第３図に示されるミラーアップ位置に退避して、７セグメントＬＥＤ３０〜３２が各々個別に図柄の移動表示を開始し、ハーフミラ−３３の退避により、７セグメントＬＥＤ３０〜３２に表示された情報はハーフミラ−３３を介することなく明瞭に視認される。また、ドットマトリクスＬＥＤ３４が作動中であったとしてもその情報が遊戯者に視認されることはないので、必ずしもこの段階においてソフトウェア上の処理でドットマトリクスＬＥＤ３４のテロップ表示の作動を停止する必要はない。７セグメントＬＥＤ３０〜３２に表示される移動図柄の一例を第６図に示す。」（２頁右下欄１９行〜３頁左上欄１２行）、
「所定時間が経過し、７セグメントＬＥＤ３０〜３２に表示された移動図柄が一致して停止した場合には大入賞口１４が解放され、大入賞口１４が完全に閉鎖されるまでのあいだ最終表示図柄が保持され、また、移動図柄が一致していない場合には７セグメントＬＥＤ３０〜３２の作動が停止される。ハーフミラ−３３は７セグメントＬＥＤ３０〜３２の移動表示が停止した段階で再び定常位置に復帰し、図柄が一致した場合であればドットマトリクスＬＥＤ３４のテロップ表示が大当り表示に切替えられ、ハーフミラ−３３に投影された鏡像３４′　として遊戯者に視認されると共に、７セグメントＬＥＤ３０〜３２の最終表示図柄はハーフミラ−３３を透過して遊戯者に視認される（第７図参照）。」（２頁右下欄１３行〜右上欄７行）、
「本実施例によれば、７セグメントＬＥＤ３０〜３２に表示される移動図柄とドットマトリクスＬＥＤ３４の表示とを視点移動することなく同時に確認することができる。」（３頁右上欄１８行〜左下欄１行）、
「発明の効果
　本発明のパチンコ機の情報表示装置によれば、第１の表示体に表示された情報と第２の表示体に表示された情報を単一のハーフミラ−を介して集中的かつ同時に確認することができるので、遊戯者は数々の情報を確認するための視線移動から解放されて遊戯に集中することができ、・・・」（５頁右上欄１７行〜左下欄３行）。
　
　上記記載及び図面の記載からみて、刊行物１には、
「各種情報を表示可能な情報表示装置２９を備え、遊技条件に基づき入賞口５，６、チューリップ式役物１１，１２、大入賞口１４、及び、記憶数表示ＬＥＤ２５、連続回数表示ＬＥＤ２６、大入賞口入賞数表示ＬＥＤ２７を制御し、遊技信号に基づく映像を情報表示装置２９に表示する遊技機。」の発明が記載されていると認められる。
　
　同じく、上記刊行物２には、次のことが記載されている。
「産業上の利用分野
　本発明は、カード式パチンコ機に関する。」（１頁左下欄１５〜１６行）、
「本発明の目的は、保有玉数、出玉数、弾発数等の玉情報を容易に確認でき・・・るカード式パチンコ機を提供することにある。」（１頁右下欄１６行〜１９行）、
「問題点を解決するための手段
　本発明は、パチンコ機へのカード挿入状態で該プリペイドカードの現度数を表示する現度数表示装置と、現在の保有玉数、遊戯開始から現在に至るまでに入賞によって得られた出玉数、遊戯開始から現在に至るまでに消費された弾発数をリアルタイムで表示する玉情報表示装置・・・とを備えたことを特徴とする構成により上記問題点を解決した。」（１頁右下欄２０行〜２頁左上欄９行）、
「第１図から明らかなように、このカード式パチンコ機に下皿はなく、従来のパチンコ機において下皿が装着される位置、即ち、上皿１の下方には、操作パネル３，現度数表示装置の一部を形成する現度数表示ディスプレイ４，カード挿入口５が設けられている。」（２頁右上欄７〜１２行）、
「第３図は操作パネル３の概要を示す図である。
・・・
　操作パネル３の略中央部右方に設けられた符号７は、玉情報表示装置の一部を構成する玉情報表示ディスプレイで、Ｌ.Ｅ.Ｄ.等によって構成されており４桁の表示が可能となっている。
　玉情報ディスプレイ７の上方に設けられたモード切換えスイッチＫ，Ｌ，Ｍは該ディスプレイの表示内容を選択するモード切り変えスイッチであって、スイッチＫ（保有玉数）、スイッチＬ（出玉数）、スイッチＭ（弾発数）の内から遊戯者が選択した情報をリアルタイムで玉情報表示ディスプレイ７に表示する構成となっている。」（２頁右上欄１３行〜右下欄４行）、
「発明の効果
　本発明によれば、パチンコ玉の保有玉数、入賞によって得られた出玉数、消費された弾発数か常にリアルタイムで表示されるため、遊戯者は明快にこれらのデータを確認することができ、・・・」（１０頁左上欄２０行〜右上欄４行）。
　
４．対比・判断
　本願発明と上記刊行物１記載の発明とを対比すると、
刊行物１記載の発明の「情報表示装置２９」が本願発明の「映像表示装置」に相当し、以下、「入賞口５，６、チューリップ式役物１１，１２、大入賞口１４」が「各種入賞装置」に、「記憶数表示ＬＥＤ２５、連続回数表示ＬＥＤ２６、大入賞口入賞数表示ＬＥＤ２７」が「各種表示装置」に、それぞれ相当し、刊行物１記載の発明が、「遊技制御手段」及び「映像制御手段」を備えることは明らかであるから、
両者は、
「各種情報を表示可能な映像表示装置と、遊技条件に基づき各種入賞装置、各種表示装置を制御する遊技制御手段と、遊技制御手段からの遊技信号に基づく映像を映像表示装置に表示する映像制御手段とを備えた遊技機。」である点で一致し、次の点で相違する。
（相違点１）
　本願発明が、「遊技に用いる遊技媒体の貸出操作手段と、貸出操作手段からの操作信号およびカードリーダに挿入した遊技カードの記憶データに基づき遊技媒体の排出を行う遊技媒体貸出機」を備えているのに対し、刊行物１記載の発明は、遊技媒体貸出機を備えない点。
（相違点２）　
　本願発明の映像制御手段が、遊技制御手段からの遊技信号に基づく映像を映像表示装置に表示するだけでなく、「遊技媒体貸出機からの動作状態信号に基づく映像をも映像表示装置に表示する」のに対し、刊行物１記載の発明の映像制御手段は、遊技制御手段からの遊技信号に基づく映像を映像表示装置に表示するが、遊技媒体貸出機からの動作状態信号に基づく映像は映像表示装置に表示しない点。
　
　上記相違点１を検討すると、遊技機において、「遊技に用いる遊技媒体の貸出操作手段と、貸出操作手段からの操作信号およびカードリーダに挿入した遊技カードの記憶データに基づき遊技媒体の排出を行う遊技媒体貸出機」を備えることは、上記刊行物２、特開平４−７１５８３号公報及び特開平４−１０２４９３号公報等に記載されているように周知慣用であるから、上記相違点１の本願発明に係る構成とすることは、当業者であれば適宜なし得る設計的事項である。
　
　上記相違点２を検討する。
　刊行物１には、遊技機において、各種情報を同一の映像表示装置（情報表示装置２９）に表示させることが記載されている。
　また、刊行物２には、遊技機に遊技媒体貸出機を備え、その遊技媒体貸出機の操作パネル３上において、遊技情報（遊戯開始から現在に至るまでに入賞によって得られた出玉数、遊戯開始から現在に至るまでに消費された弾発数）に係る情報と、遊技媒体貸出情報（現在の保有玉数）に係る情報とを、同一の表示装置（玉情報表示装置７）に表示することが記載されている。
　そうすると、各種情報を同一の映像表示装置に表示させるという刊行物１に記載された発明に、遊技情報に係る情報と遊技媒体貸出情報に係る情報とを同一の表示装置に表示する刊行物２に記載されている遊技機を採用すれば、映像表示装置に、遊技制御手段からの遊技信号に基づく映像だけでなく、遊技媒体貸出機からの動作状態信号に基づく表示をも表示させることは、当業者であれば容易になし得ることであり、格別な困難性もない。
　
　なお、遊技媒体貸出情報を遊技盤中央の映像表示装置に設けることもよく知られていることである（特開昭６１−２３８２６８号公報）から、各種情報を表示可能な映像表示装置を備える刊行物１記載の発明が公知であれば、本願発明のように構成することは、当業者であれば容易になし得ることともいえる。
　
　そして、本願発明のように構成したことによる格別の作用効果も認められない。
　
５．むすび
　以上のとおり、本願発明は、刊行物１及び２記載の発明並びに周知技術に基いて当業者が容易に発明をすることができたものであるから、特許法第２９条２項の規定により特許を受けることができず、本願の他の請求項に係る発明を検討するまでもなく、本願は拒絶をすべきものである。
　よって、結論のとおり審決する。